(57)【要約】【課題】一つの脱気部材で複数層に設けた脱気通路から脱気を行うことができる脱気構造を提供すること。【解決手段】脱気構造１は、積層された層の間に形成されて気体を流通させる脱気通路１０と、壁４の立上り部４ａに取り付けられた脱気部材５と、脱気部材５に形成されて脱気通路１０に連通し上下方向に延設された脱気部材通路１４と、を備えている。脱気通路１０は、複数の層に横方向に向けて形成されている。脱気部材通路１４は、脱気部材５の外側面５ａに開放して形成されて上下方向に延設された脱気溝５ｂを有し、複数の層に形成された脱気通路１０に連通されている。【選択図】図１
2017061807.tif 000002
【特許請求の範囲】
【請求項１】
積層された層の間に形成されて気体を流通させる脱気通路と、
壁の立上り部に取り付けられた脱気部材と、
当該脱気部材に形成されて前記脱気通路に連通し上下方向に延設された脱気部材通路と、を備えた脱気構造であって、
前記脱気通路は、複数の層に横方向に向けて形成され、
前記脱気部材通路は、前記脱気部材の外側面に開放して形成されて上下方向に延設された脱気溝を有し、複数の層に形成された前記脱気通路に連通されていること、
を特徴とする脱気構造。
【請求項２】
前記複数の脱気通路と前記脱気部材通路との間には、前記複数の脱気通路のうちの少なくともいずれかの脱気通路と前記脱気部材通路とに連通する連通路が設けられ、
前記連通路の上側には、保護部材が設けられていること、
を特徴とする請求項１に記載の脱気構造。
【請求項３】
前記脱気通路は、上側の層に形成された上側脱気通路と、
当該上側脱気通路よりも下側の層に形成された下側脱気通路と、を備えて構成され、
前記上側脱気通路は、防水下地の上面と、当該上面に載設される通気シートの下面に形成された凹凸部と、で形成され、
前記連通路は、前記防水下地の前記上面と、当該上面に載設される前記保護部材の下面に形成された凹凸部と、で形成されていること、
を特徴とする請求項２に記載の脱気構造。
【請求項４】
前記脱気溝の開口は、前記下側脱気通路を形成する床下下地の前記立上り部側の基端面と、
側面視して略Ｌ字状に形成された前記保護部材の縦板部と、
前記保護部材を覆うようにして設けられた立上り用シートと、
によって覆われていること、
を特徴とする請求項２または請求項３に記載の脱気構造。
【請求項５】
壁の立上り部に取り付けられて、積層された層の間に形成される脱気通路内の気体を脱気させる脱気部材であって、
当該脱気部材の外側面に開放して形成されて上下方向に延設された脱気溝を有していること、
を特徴とする脱気部材。
【発明の詳細な説明】
【技術分野】
【０００１】
本発明は、防水層の下に滞溜する気体の脱気を行う脱気構造及び脱気部材に関する。
【背景技術】
【０００２】
従来、建築構造物のバルコニー、ベランダ、屋上等（以下、単に「バルコニー」という）には、防水を行なうために、コンクリート製等の下地上に防水層が設けられている。防水層は、断熱材、防水下地部材、緩衝シート、通気シート（防水シート）等の複数の層で構成されている。下地上に防水層を設けた場合は、太陽の日射熱によってコンクリート製等の下地に含まれていた水分の蒸発に起因して、防水層と下地等の各間に気体が滞留したり、結露等の水分が滞溜したりして、膨れ現象が発生することがある。
【０００３】
従来、その膨れ現象を防止するものとしては、防水下地と防水層との間に形成された通気層から上方に向けて突設された水分排出用の脱気筒（脱気部材）を備えた脱気装置が知られている（例えば、特許文献１参照）。
【０００４】
特許文献１に記載された脱気装置の脱気筒は、通気層の上に設置されるフランジ部を下端に有する内筒と、内筒の上側開口に通気用隙間を介して被せるように配置される有蓋筒状の外筒と、を備えて構成されている。
【０００５】
また、特許文献１に記載された以外の脱気装置としては、図７及び図８に示す立上り用の脱気装置１００が知られている。
図７は、従来の立上り用の脱気装置を示す要部概略縦断面図である。図８は、図７のＩ−Ｉ断面図である。脱気装置１００は、下地２００と防水層３００との間に形成された脱気通路４１０を有する通気層４００と、脱気通路４１０に連通する脱気部材通路７００を有する脱気部材６００と、脱気部材通路７００の上端に設けられた排気管８００と、を備えている。
【０００６】
脱気部材６００は、壁５００の立上り部５１０に対向して配置される面に、上下方向に向けて多数の脱気溝６１０が延びている。脱気部材６００は、その脱気溝６１０側の面を壁５００側にして立上り部５１０に固定することによって、立上り部５１０とで脱気部材通路７００を形成している。脱気部材通路７００を通気層４００と連通した状態に設置するために、脱気部材６００の下端部６２０が、通気層４００の立上り壁５００側の端部の上部に配置されている。
【先行技術文献】
【特許文献】
【０００７】
【特許文献１】特許第５２２４２１２号公報
【発明の概要】
【発明が解決しようとする課題】
【０００８】
しかし、特許文献１に記載された脱気装置は、住宅のバルコニーに設置される場合、脱気筒をバルコニーの中央部寄りの位置に立設する必要があるので、歩行の妨げや、外観の悪化を招くため、住宅のバルコニーに不向きであるという問題点があった。
【０００９】
また、特許文献１に記載の脱気装置は、脱気筒が一つの通気層から成る場合にしか対応できず、多層構造のバルコニーの層内に散在する水分等を含む空気を十分に脱気することができないという問題点があった。
【００１０】
また、図７及び図８に示す脱気装置１００は、脱気部材６００が通気層４００の上に立設されている。このため、通気層４００及び脱気通路４１０を上層、下層等の複数層に備えたバルコニーの脱気を行う場合も、特許文献１に記載の脱気装置と同様に、一つの脱気装置１００で複数層から脱気を行うことができないという問題点があった。
つまり、脱気装置１００は、脱気したい通気層４００の脱気通路４１０が複数あった場合、一番下に配置された通気層４００の脱気通路４１０からしか、脱気させることができないという問題点があった。
【００１１】
このようなことから、特許文献１の脱気装置及び脱気装置１００は、上層、下層等の複数層の境界面にそれぞれ形成された脱気通路から脱気を行う場合、脱気したい層に形成された脱気通路の数と同数の脱気部材６００を設置する必要がある。このため、取付作業工数、及び、部品点数が増加してコストアップになるという問題点があった。
【００１２】
そこで、本発明は、これらの課題を解消すべく発明されたものであり、一つの脱気部材で複数層に設けた脱気通路から脱気を行うことができる脱気構造及び脱気部材を提供することを目的とする。
【課題を解決するための手段】
【００１３】
本発明に係る脱気構造は、積層された層の間に形成されて気体を流通させる脱気通路と、壁の立上り部に取り付けられた脱気部材と、当該脱気部材に形成されて前記脱気通路に連通し上下方向に延設された脱気部材通路と、を備えた脱気構造であって、前記脱気通路は、複数の層に横方向に向けて形成され、前記脱気部材通路は、前記脱気部材の外側面に開放して形成されて上下方向に延設された脱気溝を有し、複数の層に形成された前記脱気通路に連通されていることを特徴とする。
【００１４】
かかる構成によれば、脱気構造は、脱気部材通路が複数の層に形成された脱気通路に連通されていることによって、複数の脱気通路内に流れ込んだ水分等を含む空気（以下、適宜「気体」という）を脱気通路に滞溜させることなく脱気部材通路から十分に流出させることができる。このため、脱気部材通路を有する一つの脱気部材を備えた脱気構造であっても、複数層に積層された層内部の脱気を複数の脱気通路によって効率よく行って、カビの発生や、結露や、膨れ現象を防止することができる。また、脱気部材通路は、脱気溝が壁の立上り部に取り付けられた脱気部材の外側面に形成されていることによって、複数層に形成された脱気通路に容易に連通させることが可能となる。
【００１５】
また、前記複数の脱気通路と前記脱気部材通路との間には、前記複数の脱気通路のうちの少なくともいずれかの脱気通路と前記脱気部材通路とに連通する連通路が設けられ、前記連通路の上側には、保護部材が設けられていることが好ましい。
【００１６】
かかる構成によれば、連通路の上側には、保護部材が設けられている。このため、保護部材の下側にある連通路が、上方からの荷重で押し潰されて塞がれるのを防止することができる。
【００１７】
また、前記脱気通路は、上側の層に形成された上側脱気通路と、当該上側脱気通路よりも下側の層に形成された下側脱気通路と、を備えて構成され、前記上側脱気通路は、防水下地の上面と、当該上面に載設される通気シートの下面に形成された凹凸部と、で形成され、前記連通路は、前記防水下地の前記上面と、当該上面に載設される前記保護部材の下面に形成された凹凸部と、で形成されていることが好ましい。
【００１８】
かかる構成によれば、脱気通路は、上側脱気通路と、下側脱気通路とを備えていることによって、上側の層及び下側の層から蒸発した水分等を含む空気を、上側脱気通路内及び下側脱気通路内に放出させることができる。また、上側脱気通路と連通路とは、防水下地の上面にそれぞれ形成されて、互いに連通している。このため、防水下地から発生した気体は、上側脱気通路、及び、連通路から脱気部材通路を介して排気することができる。
【００１９】
また、前記脱気溝の開口は、前記下側脱気通路を形成する床下下地の前記立上り部側の基端面と、側面視して略Ｌ字状に形成された前記保護部材の縦板部と、前記保護部材を覆うようにして設けられた立上り用シートと、によって覆われていることが好ましい。
【００２０】
かかる構成によれば、脱気部材の脱気溝の開口は、床下下地の基端面と、保護部材の縦板部と、立上り用シートと、によって覆われていることで、脱気溝の外側の開放部が閉塞されて、管路状の脱気部材通路が形成される。その脱気部材通路は、脱気部材の脱気溝の外側面に、下側脱気通路を形成する床下下地の基端面と、上側脱気通路を形成する保護部材の縦板部と、立上り用シートと、を押し当てて取り付けられる。このため、脱気部材通路は、上側脱気通路と下側脱気通路とに連通されて、各層から放出された気体を脱気することができる。
【００２１】
本発明に係る脱気部材は、壁の立上り部に取り付けられて、積層された層の間に形成される脱気通路内の気体を脱気させる脱気部材であって、当該脱気部材の外側面に開放して形成されて上下方向に延設された脱気溝を有していることを特徴とする。
【００２２】
かかる構成によれば、脱気部材は、外側面に開放する脱気溝を有しているので、積層された層から発生した気体が流れ込む脱気通路に脱気溝を容易に接続させることができる。積層された層に複数の脱気通路が形成されていても、複数の脱気通路に脱気溝を繋げることができる。
【発明の効果】
【００２３】
本発明によれば、一つの脱気部材で複数層に設けた脱気通路から脱気を行うことができる脱気構造及び脱気部材を提供することができる。
【図面の簡単な説明】
【００２４】
【図１】本発明の実施形態に係る脱気構造及び脱気部材を示す要部概略縦断面図である。
【図２】図１の要部拡大図である。
【図３】図１のＩＩ−ＩＩ拡大断面図である。
【図４】図１のＩＩＩ−ＩＩＩ拡大断面図である。
【図５】本発明の実施形態に係る脱気構造に使用される連通路形成部材の変形例を示す斜視図である。
【図６】図５のＶ−Ｖ拡大断面図である。
【図７】従来の立上り用の脱気装置を示す要部概略縦断面図である。
【図８】図７のＩ−Ｉ断面図である。
【発明を実施するための形態】
【００２５】
次に、図１から図４を参照しながら本発明の実施形態に係る脱気構造及び脱気部材の一例を説明する。図１は、脱気構造１及び脱気部材５を示す要部概略縦断面図であって、図３のIV−IV断面図である。
【００２６】
＜脱気構造＞
本発明の実施形態に係る脱気構造１は、図１に示すように、積層された層の間に形成されて気体を流出させる脱気通路１０と、この複数の脱気通路１０内の気体を流出させて脱気する脱気部材通路１４と、を備えたものであれば、設置される場所は特に限定されない。脱気構造１は、例えば、建築構造物のバルコニー２、ベランダ、テラス、屋上、外部廊下、玄関等の防水を行なう箇所に使用される。以下、本発明の脱気構造１及び脱気部材５の一例として、バルコニー２に使用される場合を例に挙げて説明する。
【００２７】
脱気構造１は、バルコニー２の床面を形成するスラブ３の複数の防水層に形成された脱気通路１０と、壁４の立上り部４ａに取り付けられた脱気部材５と、脱気部材５によって形成されて脱気通路１０に連通する脱気部材通路１４と、脱気部材通路１４に連通する排気管９と、を主に備えている。脱気構造１は、脱気通路１０（下側脱気通路１１及び上側脱気通路１２）内の気体を、脱気部材通路１４を介して排気管９から大気中に排気することができるようになっている。
【００２８】
＜バルコニー＞
図１に示すように、バルコニー２は、立上り部４ａを有する壁４と、立上り部４ａから外方向に向けて略水平に設けられた防水構造のスラブ３と、を備えて構成されている。
【００２９】
＜スラブ＞
スラブ３は、バルコニー２の床構造部分である。スラブ３は、例えば、下側から順に下地合板３１、床下下地３２、防水下地３３、通気シート３４、連通路形成部材６、立上り用シート７、防水層３５を積層して構成されている。積層されたスラブ３には、上側の層に形成された上側脱気通路１２と、上側脱気通路１２よりも下側の層に形成された下側脱気通路１１と、上側脱気通路１２に連通する連通路１３と、が設けられている。スラブ３の外側端部には、フェンス（図示省略)等が立設されている。なお、連通路形成部材６及び立上り用シート７は、壁４寄りの位置に設けられている。以下、下側脱気通路１１と上側脱気通路１２との両方をいう場合は、適宜「脱気通路１０」という。
【００３０】
＜下地合板＞
下地合板３１は、平面視して矩形に形成されたベニヤ板等の合板である。この下地合板３１は、例えば、壁４に沿って適宜な間隔を介して水平に延設された角材等の木材から成る床根太（図示省略）の上面に水平に設けられている。
【００３１】
＜床下下地＞
床下下地３２は、バルコニー２に排水勾配を形成するための部材であり、硬質ウレタン等によって形成されている。床下下地３２は、下地合板３１の上面に載設されている。床下下地３２は、床下下地３２の下面に突設された凸部３２ａと、床下下地３２の下面に凹設された凹部３２ｂと、床下下地３２の上面に形成された傾斜面３２ｃと、床下下地３２の壁４側の端面に形成された基端面３２ｄと、を有している。床下下地３２は、例えば、凹部３２ｂによって形成された脱気溝を有する勾配用スタイロから成る。
【００３２】
凸部３２ａと凹部３２ｂは、床下下地３２の下面に下側脱気通路１１を形成するためのものである。凸部３２ａは、下地合板３１に接着される床下下地３２の下端面を形成する部位である。凸部３２ａは、例えば、平面視して矩形に形成され、側面視して先端面が水平に形成された多数の突出部から成る。
凹部３２ｂは、その多数の凸部３２ａの外周に配置されて、下側脱気通路１１を形成するための格子状の溝である。
傾斜面３２ｃは、壁４方向に向かって高くなるように傾斜している。
基端面３２ｄは、脱気部材５の下端部の外側面５ａに密着して、脱気部材５の脱気溝５ｂの開口の下側部位を閉塞している。
【００３３】
＜防水下地＞
防水下地３３は、床下下地３２の上に設置された下地材である。この防水下地３３は、例えば、ベニヤ板等の合板の表面に、ポリエステル樹脂とガラス繊維とから成る繊維強化プラスチック（ＦＲＰ樹脂）をコーティングした合板から成る。防水下地３３の上面３３ａには、立上り部４ａ側の位置に載設された連通路形成部材６と、連通路形成部材６の外側端部からスラブ３の外側端部に亘って載設された通気シート３４と、が設置されている。このため、防水下地３３の上面３３ａには、上側脱気通路１２と、連通路１３が形成されている。
【００３４】
＜通気シート＞
図１及び図２に示すように、通気シート３４は、連通路形成部材６の横板部６ａの外側部位の上から防水下地３３上の外側端部に亘って載設されたシートである。この通気シート３４は、例えば、樹脂製のシートや、通気緩衝シートや、無機質板等から成る。図２及び図３に示すように、通気シート３４の下面には、例えば、上側脱気通路１２を形成するための凹凸部３４ａが形成されている。
【００３５】
凹凸部３４ａは、通気シート３４の下面に上側脱気通路１２を形成する部位である。凹凸部３４ａは、気体が流れる通気層を形成するものであれば、その形状は特に限定されない。
凸部３４ｂは、防水下地３３の上面３３ａに接着される通気シート３４の下端面を形成する部位である。
凹部３４ｃは、上側脱気通路１２を形成するための格子状の凹溝である。
図２に示すように、壁側端部３４ｄは、連通路形成部材６の外側端部の上に重ねるようにして載設されている。
【００３６】
＜連通路形成部材＞
連通路形成部材６（保護部材）は、連通路１３を形成するための部材である。連通路形成部材６は、防水下地３３上の上部に固着された略水平な横板部６ａと、脱気部材５の外側面５ａに固着された垂直な縦板部６ｂと、を一体形成した縦断面視して略Ｌ字型の板材から成る。連通路形成部材６は、防水下地３３上の立上り部４ａ側寄りの部位から脱気部材５の外側面５ａに亘って配置されている。連通路形成部材６の横板部６ａの下面、及び、縦板部６ｂの脱気部材５側の側面には、連通路１３となる空間を形成するための凹部６ｅと凸部６ｄとから成る凹凸部６ｃが形成されている。連通路形成部材６の左右方向の長さは、脱気部材５の左右方向の長さよりも少し短く形成されている（図３及び図４参照）。
連通路形成部材６は、他の層を形成する部材よりも強度のある部材によって形成されている。連通路形成部材６は、例えば、アルミニウム合金等の金属で形成されている。このため、連通路形成部材６は、横板部６ａの下方に配置された連通路１３を、上方からの荷重に対して保護する役目を果す。
【００３７】
横板部６ａは、防水下地３３の上面３３ａの脱気部材５側に載設されている。このため、横板部６ａの下面の連通路１３が、防水下地３３上に設けた通気シート３４の下面の上側脱気通路１２に連続するように、上側脱気通路１２と同じ高さの位置に配置されている。
【００３８】
図４は、連通路形成部材６の縦板部６ｂの設置状態を示す要部拡大横断面図である。
図２及び図４に示すように、縦板部６ｂは、脱気部材５の外側面５ａに凸部６ｄの先端面を密着させて脱気溝５ｂの外側の開口を閉塞すると共に、凹部６ｅ内の連通路１３が、脱気溝５ｂ内の脱気部材通路１４に連通するように配置されている。
【００３９】
＜下側脱気通路＞
図１に示すように、下側脱気通路１１は、下地合板３１から出た水分等を含む気体を脱気部材通路１４に送るための流路である。下側脱気通路１１は、前記したように、床下下地３２の凹部３２ｂと、凸部３２ａが載設される下地合板３１と、で形成される空間から成る。下側脱気通路１１は、壁４側の端部まで形成されて開放されており、脱気部材通路１４に連通している。なお、下側脱気通路１１は、下地合板３１と床下下地３２との間に形成された下側脱気通路１１内の気体を脱気部材通路１４側に送ることが可能であれば、その構成は特に限定されない。
【００４０】
＜上側脱気通路＞
図２及び図３は、防水下地３３と通気シート３４との間に形成される上側脱気通路１２及び連通路１３を示す模式図である。
図２及び図３に示すように、上側脱気通路１２及び連通路１３は、防水下地３３から出た水分等を含む気体を脱気部材通路１４に流すための流路である。上側脱気通路１２は、防水下地３３の上面３３ａと、この上面３３ａに載設された通気シート３４の下面の凹凸部３４ａと、で形成される空間から成る。上側脱気通路１２は、複数の脱気通路１０のうちで最も上側に配置されている。上側脱気通路１２の脱気部材５側の壁側端部３４ｄの下側には、連通路形成部材６が設けられている。図３に示すように、上側脱気通路１２は、通気シート３４の凹凸部３４ａによって格子状に形成されている。
なお、図１に示す下側の層に形成された下側脱気通路１１と、下側脱気通路１１よりも上側の層に形成された上側脱気通路１２は、特許請求の範囲に記載の脱気通路１０を構成している。
【００４１】
＜連通路＞
図２に示すように、連通路１３は、上側脱気通路１２と脱気部材通路１４との間に配置されて、両者に連通する流路である。連通路１３は、連通路形成部材６の下面及び脱気部材５側の側面に形成された凹凸部６ｃと、凹凸部６ｃが載設される防水下地３３の上面３３ａ及び脱気部材５の外側面５ａと、で形成される空間から成る。
図３に示すように、連通路１３は、連通路形成部材６の凹凸部６ｃによって格子状に形成されている。
【００４２】
＜立上り用シート＞
図１に示すように、立上り用シート７は、連通路形成部材６の外側表面と、脱気部材５の上部の外側面５ａと、脱気部材５の上側に連結された排気管９の外側部位と、を覆う防水シートである。このため、立上り用シート７は、連通路形成部材６よりも上側にある脱気溝５ｂの外側の開口を閉塞して、脱気部材通路１４の外側方向の内壁の一部を形成している。立上り用シート７は、縦断面視して横板部６ａの基端側寄りの上面から、脱気部材５の上部の外側面５ａを介して排気管９の一部を覆うように配置して接着されている。立上り用シート７は、例えば、弾性を有する緩衝シートで構成されている。
【００４３】
なお、立上り用シート７は、連通路形成部材６を覆うと共に、脱気部材５の外側面５ａに開放して形成された脱気溝５ｂの開口を閉塞して流路を形成するものであればよい。例えば、立上り用シート７は、連通路形成部材６、脱気部材５の上部、排気管９、及び壁４を覆うパネル部材等の板材であってもよい。
【００４４】
＜防水層＞
防水層３５は、スラブ３の床面（防水下地３３の上面３３ａ）から水切板８の内側の立上り部４ａに亘ってコーティングするように設けられた防水用の層である。防水層３５は、通気シート３４の上面、立上り用シート７の外側面、排気管９、脱気部材５の上側の立上り部４ａを覆っている。防水層３５は、例えば、シート防水、塗膜防水、アスファルト防水等の防水材で形成されている。防水層３５は、さらに具体例を挙げると、ウレタン防水、ＦＲＰ（繊維強化プラスチック）防水等で施層されている。
【００４５】
＜壁＞
図１に示すように、壁４は、バルコニー２と室内とを仕切る外壁部材であり、コンクリート等によって形成されている。壁４は、脱気部材５が固定される立上り部４ａを有している。
【００４６】
＜脱気部材＞
脱気部材５は、脱気通路１０及び連通路１３から流れて来た気体を排気管９に送る脱気部材通路１４を形成するための板状部材である。この脱気部材５は、例えば、上下方向に長い矩形のゴム製板材、あるいは、樹脂製板材から成る。脱気部材５には、この脱気部材５の垂直な外側表面を形成する外側面５ａと、外側面５ａに上下方向に複数延設された凹溝形状の脱気溝５ｂと、が形成されている。脱気部材５は、下地合板３１上に載設されると共に、壁４の立上り部４ａの表面に固着されている。脱気部材５の上端には、脱気部材通路１４内の気体を大気中に排出するための排気管９が接続されている。
【００４７】
外側面５ａは、床下下地３２の基端面３２ｄ、防水下地３３の基端面３３ｂ、連通路形成部材６の縦板部６ｂの壁側表面、及び、立上り用シート７の壁側表面が接着されて覆われている。
脱気溝５ｂは、横方に適宜な間隔で複数形成された縦溝から成る。脱気溝５ｂは、脱気部材５の上端から下端に亘って延設されている。脱気溝５ｂは、横断面視して外側面５ａに凹溝状に形成されて開放した状態に形成されている。
【００４８】
＜脱気部材通路＞
図１に示すように、脱気部材通路１４は、下側脱気通路１１及び連通路１３と、排気管９の排気通路１５とを連通させて、脱気通路１０及び連通路１３内から流れて来た気体を排気通路１５に送るための流路である。脱気部材通路１４は、脱気部材５の外側面５ａに開放して形成されて上下方向に延設された脱気溝５ｂと、脱気溝５ｂの開口縁がある外側面５ａを覆う床下下地３２、防水下地３３、連通路形成部材６及び立上り用シート７と、で形成された空間から成る。脱気部材通路１４を形成するための脱気部材５の脱気溝５ｂには、連通路１３を形成するための連通路形成部材６の凹部６ｅの一部と、下側脱気通路１１を形成するための床下下地３２の凹部３２ｂの一部と、が対向して配置されている。このようにして、上下方向に延設された脱気部材通路１４には、脱気部材５の外側面５ａに直交するように横設された下側脱気通路１１及び連通路１３が、連通した状態に設けられている。
【００４９】
ここで、脱気部材５、連通路形成部材６、立上り用シート７及び排気管９は、バルコニー２の手すり壁（図示省略）の立上りのバルコニー２側の面に設けてもよい。このため、明細書及び特許請求の範囲中の「外側面」とは、「バルコニー側の面」をいう。
【００５０】
＜排気管及び排気通路＞
排気管９は、左右方向に延設されて、両端部に排気通路１５の排気口（図示省略）を有する管状部材である。排気管９の下側には、複数の脱気部材通路１４（図３参照）に連通する連通口９ａが穿設されている。排気管９は、壁４に沿って水平方向に延設されて、両端の排気口から水が浸入して脱気部材通路１４側に流れ込まないように配置されている。
排気通路１５は、脱気通路１０及び連通路１３から脱気部材通路１４を介して流れて来た気体を大気中に排気するための排気口を有する流路である。
【００５１】
＜水切板＞
水切板８は、脱気部材５の上部、排気管９、立上り用シート７、及び防水層３５が配置されている部位の上部を囲むようにして設けられた水避け用の金属製板部材である。この水切板８は、防水層３５の上部外側面に固定されている。
【００５２】
≪作用≫
次に、本発明の実施形態に係る脱気構造及び脱気部材の作用を説明する。
図１に示すように、スラブ３内の湿気等の水分は、太陽光線の熱によって、下地合板３１及び防水下地３３の下地に含まれていた水分が蒸発されて、脱気通路１０（下側脱気通路１１及び上側脱気通路１２）及び連通路１３内に入り込む。その水分は、太陽光線の熱によって暖められることで気化され、水蒸気圧が高くなって拡散することにより、脱気通路１０及び連通路１３から脱気部材通路１４、排気通路１５を介して排気管９の両端の排気口から大気中に排気される。
【００５３】
このように脱気構造１では、排気通路１５に連通した脱気部材通路１４が、複数層に形成された脱気通路１０と、連通路１３とに連通されている。このため、脱気通路１０及び連通路１３内に流れ込んだ気体は、脱気通路１０及び連通路１３内に滞溜することなく十分に排気させることができる。これにより、脱気構造１は、脱気部材通路１４を有する脱気部材５が一つであっても、複数層に積層されたそれぞれの層の内部の湿気を複数の脱気通路１０と連通路１３とを介して効率よく排出させることができる。
【００５４】
また、脱気部材通路１４は、立上り部４ａに取り付けられた脱気部材５の外側面５ａに脱気溝５ｂが開放されて形成されていることによって、スラブ３の複数層に形成された脱気通路１０及び連通路１３に容易に連通させることができる。このため、脱気通路１０及び連通路１３内を脱気させることが可能となる。
【００５５】
また、脱気部材通路１４と連通路１３との連結部位の上側は、金属等の強度を有する側面視して略Ｌ字状の連通路形成部材６で覆われている。このため、連通路１３と、連通路１３の下方の下側脱気通路１１の脱気部材５側の部位とが、連通路形成部材６によって、上方からの荷重で押し潰されて塞がれたり、変形したりするのを防止することができる。
【００５６】
また、脱気部材５は、立上り部４ａの表面に固着されていることによって、立上り部４ａの脱気部材５の設置部位を防水することができる。
また、脱気部材５の上端には、脱気部材通路１４に連通する排気管９が壁４に沿って横方向に向けて配置されている。その排気管９の周囲は、水切板８によって囲まれている。このため、排気管９は、左右の排気口から雨水等が入り込まないように配置されているので、常に、排気管９の排気通路１５内から気体を効率よく大気中に排出させることができる。
【００５７】
このように脱気構造１は、複数の脱気通路１０に対して脱気部材５が一つであっても、複数層に積層されたそれぞれの層内部の湿気を脱気通路１０及び連通路１３内に放出させて、脱気通路１０及び連通路１３から脱気部材通路１４を介して排気通路１５から効率よく排出させることができる。このため、脱気構造１は、脱気通路１０及び連通路１３内に発生するおそれがあるカビや、結露や、膨れ現象を防止することができる。
【００５８】
［変形例］
以上、本実施形態に係る脱気構造及び脱気部材について、図面を参照して詳細に説明したが、本発明はこれらの実施形態に限定されるものではなく、本発明の趣旨を逸脱しない範囲で適宜変更可能であることは言うまでもない。
【００５９】
次に、脱気構造１Ａの変形例を説明する。なお、既に説明した構成は同じ符号を付してその説明を省略する。図５は、本発明の実施形態に係る脱気構造に使用される連通路形成部材の変形例を示す斜視図である。図６は、図５のＶ−Ｖ拡大断面図である。
【００６０】
前記実施形態では、連通路形成部材６（保護部材）の一例として、金属製の板部材から成る連通路形成部材６の下面、及び脱気部材５側の側面に格子状に形成された凹凸部６ｃを有したものを例に挙げて説明したが、これに限定されない（図１及び図３参照）。
【００６１】
図５及び図６に示すように、連通路形成部材６Ａ（保護部材）は、下面及び脱気部材５側の側面に気体を流すための連通路１３Ａとなる隙間Ｓを形成するものであればよい。例えば、連通路形成部材６Ａは、板部材から成る側面視してＬ字状の板部本体６１Ａと、板部本体６１Ａの下面及び脱気部材５側の側面に互いに離間して設けられた複数の隙間形成板材６２Ａと、を有しているものでもよい。
【００６２】
この場合、連通路形成部材６Ａは、前記実施形態の連通路形成部材６と同様に、防水下地３３の上に設けられる略水平な横板部６Ａａと、脱気部材５の外側面５ａ（図２参照）に固着される垂直な縦板部６Ａｂと、を有している。
【００６３】
板部本体６１Ａは、連通路形成部材６Ａの外側面を形成する金属製等の板材から成る。板部本体６１Ａは、平らな平板部６１Ａａと、平板部６１Ａａの左右端部から防水下地３３（脱気部材５）側に下がるように傾斜した傾斜部６１Ａｂと、を有している。
【００６４】
隙間形成板材６２Ａは、板部本体６１Ａの下面側及び脱気部材５側の側面に、連通路１３Ａとなる隙間Ｓを形成するための部材である。隙間形成板材６２Ａは、例えば、左右一対の樹脂製の帯状部材から成る。隙間形成板材６２Ａは、例えば、平板部６１Ａａの下面の左右端部、及び、脱気部材５側の側面の左右端部に、板部本体６１Ａの長手方向に沿って前端から上端に亘って延設されて接着される。
【００６５】
このように形成された連通路形成部材６Ａは、前記実施形態の連通路形成部材６と同様に、横板部６Ａａを防水下地３３の上に載設し、縦板部６Ａｂを脱気部材５の外側面５ａに固着して、バルコニー２に取り付けられる（図１参照）。連通路形成部材６Ａの下面及び脱気部材５の外側面５ａ（図１参照）は、左右の隙間形成板材６２Ａを、断面視して板部本体６１Ａから突出した状態に設けることによって、左右の隙間形成板材６２Ａ間に連通路１３Ａとなる隙間Ｓを容易に形成することができる。連通路１３Ａは、連通路形成部材６Ａの前端から上端に向かって形成されているので、上側脱気通路１２内の気体をスムーズに脱気部材通路１４に流すことができる（図１参照）。
【００６６】
なお、隙間形成板材６２Ａは、上側脱気通路１２と脱気部材通路１４とに連通する連通路１３Ａとなる隙間Ｓを形成するものであればよく、その数は特に限定されない（図１参照）。例えば、隙間形成板材６２Ａは、横板部６Ａａの下面、及び縦板部６Ａｂの脱気部材５側の側面に、連通路形成部材６Ａの左右端部に沿って外側端部から上端部に亘って二本以上延設されたものであればよい。つまり、隙間形成板材６２Ａは、連通路形成部材６Ａの長手方向に沿って三本以上設ければ二本以上の連通路１３Ａを形成することが可能である。
【００６７】
また、板部本体６１Ａと隙間形成板材６２Ａは、少なくとも、横板部６Ａａの下面に連通路１３Ａを形成するための凹部６Ａｅがあればよく、金属や樹脂等によって一体形成したものであってもよい。
【００６８】
［その他の変形例］
また、脱気部材通路１４は、積層された複数の脱気通路１０及び連通路１３にそれぞれ連通した状態に形成されていればよい。例えば、脱気部材通路１４は、脱気部材５に上下方向に延設された脱気溝５ｂの外側開口端と、下側脱気通路１１及び上側脱気通路１２との間に、それぞれに連通する空間（隙間）からなる空間通路を形成してもよい。
【００６９】
この場合、床下下地３２及び防水下地３３の基端面３２ｄ，３３ｂは、脱気部材５の外側面５ａから離間して配置し、外側面５ａとの間に空間通路を形成する。このため、脱気部材通路１４は、脱気溝５ｂの外側面５ａから空間通路に開放して配置されるので、各脱気通路１０から空間通路を介して脱気部材通路１４に流れ込むようにすることができる。また、空間通路の上側に設置される金属製の連通路形成部材６は、縦板部６ｂを脱気部材５の外側面５ａに固定し、横板部６ａの外側端部を防水下地３３の基端部上に載設して、脱気部材５の外側面５ａと防水下地３３との間に架設する。
【００７０】
このように構成された空間通路の上部は、連通路形成部材６によって空間通路の上部が閉塞されて覆われているので、空間通路が上方からの荷重で押し潰されて塞がれるのを抑制することができる。また、床下下地３２及び防水下地３３は、壁４側の基端面３２ｄ，３３ｂが脱気部材５から外側方向に離間して配置されていることによって、脱気部材５の外側面５ａに対してラフな状態に配置可能である。つまり、施工ブレや、納まりの都合等によって、各層と脱気部材５との間に空間ができたとしても、その空間（空間通路）が連通路形成部材６で外力から保護されているため、各脱気通路１０の気体が空間通路を介して脱気部材通路１４に流れて脱気がスムーズに行われるようにすることができる。
【００７１】
また、前記実施形態では、連通路形成部材６の一例として横板部６ａの下面と、縦板部６ｂの脱気部材５側の側面と、に通気層を形成する凹凸部６ｃを設けた場合を説明したが、これに限定されない。連通路形成部材６は、前記したように、この連通路形成部材６の下側に各脱気通路１０と脱気部材通路１４とに連通する空間通路を設けた場合、前記凹凸部６ｃや、通気層がない一般的なプレート部材であってもよい。
また、連通路形成部材６は、縦板部６ｂを有する側面視してＬ字状のものに限定されず、下面に通気層を有する略平板状の部材や、下方に連通路１３が配置される略平板状の部材であってもよい。
【００７２】
また、連通路１３は、複数の脱気通路１０のうちで最も上側に配置された上側脱気通路１２と脱気部材通路１４との間に配置することに限定されない。連通路１３は、上層、中層、下層等に設けた複数の脱気通路１０のうちの少なくともいずれかの脱気通路１０と、脱気部材通路１４と、に連通するように設ければよい。
このように複数層に脱気通路１０がある多層構造の場合であっても、連通路形成部材６（保護部材）を用いて連通路１３を形成することによって、連通路１３を脱気部材通路１４と脱気通路１０とに繋げることができるため、脱気を行うことが可能である。
【００７３】
つまり、連通路１３は、脱気部材通路１４と脱気通路１０との間に形成して両者を連通させることによって、脱気通路１０内の気体を脱気部材通路１４側に流れるようにして脱気可能にさせることを目的とする流路である。例えば、連通路１３は、脱気部材通路１４と脱気通路１０との間に、シーリング材等の非通気部材が必要とされる納まりであっても、非通気部材の下に連通路形成部材６（保護部材）を設けて、連通路１３を形成することで、脱気部材通路１４と脱気通路１０とを繋げて脱気可能にする。
【００７４】
また、前記実施形態では、脱気構造１の一例として、図１に示すように、脱気通路１０が下側脱気通路１１と上側脱気通路１２との二つの通気路から成る場合を説明したが、脱気通路１０は、複数あればよい。例えば、脱気通路１０は、バルコニー２の積層構造の通気層の数に応じて、脱気通路１０を増設して多層構造にしてもよい。この場合、脱気通路１０は、脱気部材５の脱気溝５ｂに連通するように横設すればよい。
【００７５】
脱気構造１は、このように構成すれば、三つ以上の脱気通路１０を有する積層構造のバルコニー２に限らず、複数の脱気通路１０を有する積層構造の建築物のベランダ、テラス、屋上、外部廊下、玄関等の脱気にも同様に使用することができる。
【００７６】
また、脱気通路１０は、積層された複数層の境界面に形成された隙間によって気体を流すことができるものであればよい。例えば、脱気通路１０は、複数層の境界面に、粒状部材を介在して気体を排気する通気路を形成したり、ガラス繊維等の不織布を介在させて気体を排気する通気路（通気層）を形成したり、多孔質の部材を介在させて気体を排気する通気路を形成したものでもよい。
【００７７】
また、脱気部材５は、壁４の立上り部４ａに一つ設けた場合を説明したが、バルコニー２の左右方向の長さに応じて適宜な間隔で複数設けてもよい。また、脱気部材５は、バルコニー２の手すり壁（図示省略）の立上りのバルコニー２側の面（壁４側の内壁面及び左右の側壁面）に設けてもよい。
【００７８】
また、バルコニー２に排水勾配を形成する部材は、床下下地３２に限定されず、床下下地３２に代えて垂木等を設けることによってスラブ３の床面に勾配を付けてもよい。
この場合、下地合板３１と防水下地３３の間は、下地合板３１の前端部上面から防水下地３３の壁４側下面端部の位置にある脱気部材５の外側面５ａに亘って垂木を斜めの状態に架設する。この垂木の上面に防水下地３３を載設すれば、垂木の上側に配置される部材は、外方向に下がるように傾斜して配置されて、排水勾配を形成する。
このように排水勾配を構成しても、下地合板３１の上面と垂木の下面とに間には、脱気部材５の脱気溝５ｂによって形成された脱気部材通路１４に連通する空間から成る脱気通路を形成することができる。
【符号の説明】
【００７９】
１      脱気構造
４      壁
４ａ    立上り部
５      脱気部材
５ａ    外側面
５ｂ    脱気溝
６，６Ａ  連通路形成部材（保護部材）
６ｂ，６Ａｂ  縦板部
６ｃ    凹凸部
７      立上り用シート
９      排気管
１０    脱気通路
１１    下側脱気通路（脱気通路）
１２    上側脱気通路（脱気通路）
１３，１３Ａ  連通路
１４    脱気部材通路
１５    排気通路
３２    床下下地
３２ｄ  基端面
３３    防水下地
３３ａ  上面
３４    通気シート
【図１】
2017061807.tif 000003
【図２】
2017061807.tif 000004
【図３】
2017061807.tif 000005
【図４】
2017061807.tif 000006
【図５】
2017061807.tif 000007
【図６】
2017061807.tif 000008
【図７】
2017061807.tif 000009
【図８】
2017061807.tif 000010